(57)【要約】【課題】伝送効率を向上させ、伝送品質の劣化を抑制することができる基地局、端末、無線通信システムおよび通信方法を提供する。【解決手段】複数の周波数帯にそれぞれ含まれる複数のチャネルのいずれかを使用して、端末と時分割複信方式の無線通信を行う基地局は、無線通信に使用する複数の使用チャネルを選択するチャネル選択部と、端末へ下りリンク信号を送信する送信部と、端末から上りリンク信号を受信する受信部と、を備え、送信部は、下りリンク信号の送信区間において、少なくとも１つの使用チャネルを使用して下りリンク信号を送信し、受信部は、下りリンク信号の送信区間において、少なくとも１つの使用チャネルと隣接しない使用チャネルを使用して上りリンク信号を受信する。【選択図】図３
2018207402.tif 000002
【特許請求の範囲】
【請求項１】
複数の周波数帯にそれぞれ含まれる複数のチャネルのいずれかを使用して、端末と時分割複信方式の無線通信を行う基地局であって、
前記無線通信に使用する複数の使用チャネルを選択するチャネル選択部と、
前記端末へ下りリンク信号を送信する送信部と、
前記端末から上りリンク信号を受信する受信部と、
を備え、
前記送信部は、前記下りリンク信号の送信区間において、少なくとも１つの前記使用チャネルを使用して前記下りリンク信号を送信し、
前記受信部は、前記下りリンク信号の送信区間において、前記少なくとも１つの使用チャネルと隣接しない前記使用チャネルを使用して前記上りリンク信号を受信する、
基地局。
【請求項２】
前記複数の使用チャネルが互いに異なる周波数帯に含まれる場合、
前記送信部は、前記下りリンク信号の送信区間において、１つの周波数帯に含まれる前記少なくとも１つの使用チャネルを使用して前記下りリンク信号を送信し、
前記受信部は、前記下りリンク信号の送信区間において、前記１つの周波数帯と異なる周波数帯に含まれる前記使用チャネルを使用して前記上りリンク信号を受信する、
請求項１に記載の基地局。
【請求項３】
前記複数の使用チャネルが同一の周波数帯に含まれる場合、
前記送信部は、前記下りリンク信号の送信区間において、前記複数の使用チャネル全てを使用して前記下りリンク信号を送信し、
前記受信部は、前記下りリンク信号の送信区間において、前記上りリンク信号を受信しない、
請求項２に記載の基地局。
【請求項４】
前記送信部は、前記複数の使用チャネルが互いに異なる周波数帯に含まれ、かつ、前記端末へ使用チャネルに関する特定情報を送信する場合、前記下りリンク信号の第１の送信区間において、２つ以上の前記使用チャネルを使用して前記特定情報を含む前記下りリンク信号を送信する、
請求項２に記載の基地局。
【請求項５】
前記送信部は、前記第１の送信区間において前記２つ以上の使用チャネルを使用して前記下りリンク信号を送信することを示す情報を、前記第１の送信区間よりも前の前記下りリンク信号の第２の送信区間において、前記１つの周波数帯に含まれる前記少なくとも１つの使用チャネルを使用して送信する、
請求項４に記載の基地局。
【請求項６】
前記送信部は、第１の周波数帯に含まれる前記使用チャネルの数が第２の周波数帯に含まれる前記使用チャネルの数よりも小さい場合、前記第１の周波数帯に含まれる前記使用チャネル全てを使用して前記下りリンク信号を送信する、
請求項１に記載の基地局。
【請求項７】
前記送信部は、第１の周波数帯に含まれる前記使用チャネルの数が第２の周波数帯に含まれる前記使用チャネルの数よりも小さい場合、前記第２の周波数帯に含まれる前記使用チャネル全てを使用して前記下りリンク信号を送信する、
請求項１に記載の基地局。
【請求項８】
前記送信部は、３つ以上の前記使用チャネルが１つの周波数帯に含まれる場合、１つの前記使用チャネルを使用して前記下りリンク信号を送信し、前記１つの使用チャネルと隣接する前記使用チャネルを使用してヌル信号を送信し、
前記受信部は、前記１つの使用チャネルと隣接しない前記使用チャネルを使用して前記上りリンク信号を受信する、
請求項１に記載の基地局。
【請求項９】
複数の周波数帯にそれぞれ含まれる複数のチャネルのいずれかを使用して、基地局と時分割複信方式の無線通信を行う端末であって、
前記無線通信に使用する複数の使用チャネルの情報を抽出する抽出部と、
前記基地局から下りリンク信号を受信する受信部と、
前記基地局へ上りリンク信号を送信する送信部と、
を備え、
前記受信部は、前記下りリンク信号の受信区間において、少なくとも１つの前記使用チャネルを使用して前記下りリンク信号を受信し、
前記送信部は、前記下りリンク信号の受信区間において、前記少なくとも１つの使用チャネルと隣接しない前記使用チャネルを使用して前記上りリンク信号を送信する、
端末。
【請求項１０】
複数の周波数帯にそれぞれ含まれる複数のチャネルのいずれかを使用して、端末と基地局とが時分割複信方式の無線通信を行う無線通信システムであって、
前記基地局は、
前記無線通信に使用する複数の使用チャネルを選択するチャネル選択部と、
前記端末へ下りリンク信号を送信する第１の送信部と、
前記端末から上りリンク信号を受信する第１の受信部と、
を備え、
前記端末は、
前記複数の使用チャネルの情報を抽出する抽出部と、
前記下りリンク信号を受信する第２の受信部と、
前記上りリンク信号を送信する第２の送信部と、
を備え、
前記第１の送信部は、前記下りリンク信号の送信区間において、少なくとも１つの前記使用チャネルを使用して前記下りリンク信号を送信し、
前記第２の送信部は、前記下りリンク信号の送信区間において、前記少なくとも１つの使用チャネルと隣接しない前記使用チャネルを使用して前記上りリンク信号を送信する、
無線通信システム。
【請求項１１】
複数の周波数帯にそれぞれ含まれる複数のチャネルのいずれかを使用して、端末と基地局とが時分割複信方式の無線通信を行い、
前記基地局は、
前記無線通信に使用する複数の使用チャネルを選択し、
前記端末へ下りリンク信号を送信し、
前記端末から上りリンク信号を受信し、
前記端末は、
前記複数の使用チャネルの情報を抽出し、
前記下りリンク信号を受信し、
前記上りリンク信号を送信する、
通信方法であって、
前記基地局は、前記下りリンク信号の送信区間において、少なくとも１つの前記使用チャネルを使用して前記下りリンク信号を送信し、
前記端末は、前記下りリンク信号の受信区間において、前記少なくとも１つの使用チャネルと隣接しない前記使用チャネルを使用して前記上りリンク信号を送信する、
通信方法。
【発明の詳細な説明】
【技術分野】
【０００１】
本開示は、基地局、端末、無線通信システムおよび通信方法に関する。
【背景技術】
【０００２】
従来、テレビの生中継、緊急報道等の映像伝送を行う無線通信システムに用いる装置として、ＦＰＵ（Field Pick-up Unit）が知られている。このＦＰＵは、放送分野の素材伝送のために用いられ、中継現場側の移動局（端末）から放送局側の基地局へ本線情報の上りリンク（ＵＬ：Uplink）信号を伝送し、放送局側の基地局から中継現場側の移動局へ送り返し情報の下りリンク（ＤＬ：Downlink）信号を伝送する。カメラにより撮像された映像は、リアルタイムでファイル伝送され、移動局から基地局へＵＬ信号として送信され、記憶メディアに格納され再生される。
【０００３】
また、伝送効率の向上のために、ＦＰＵでは、複数の周波数のチャネル（以下、チャネルと記載する）を同時に使用してＵＬ信号とＤＬ信号を伝送する方法も検討されている。
【０００４】
複数のチャネルを同時に使用する場合、ＦＰＵの伝送効率を改善するためには、基地局は、ＤＬ信号の送信区間において、複数のチャネルの少なくとも１つを使用してＤＬ信号を送信し、ＤＬ信号を送信しないチャネルを使用してＵＬ信号を受信することが考えられる。
【０００５】
例えば、特許文献１では、基地局と複数の端末とのセルラー通信において、フレームを構成するスロット毎にＤＬ信号の送信とＵＬ信号の受信とを予め固定したパターンを用いる技術が開示されている。
【先行技術文献】
【特許文献】
【０００６】
【特許文献１】特開２０１５−１６５６０５号公報
【発明の概要】
【発明が解決しようとする課題】
【０００７】
しかしながら、ＦＰＵでは端末の送信電力が大きいため、ＤＬ信号の送信とＵＬ信号の受信とを同時に行うと、ＵＬ信号を受信する隣接チャネルにおける帯域外の漏洩によりチャネル間の干渉が発生し、伝送品質（例えば、ＵＬ信号の受信品質）が劣化してしまうおそれがある。
【０００８】
本開示の非限定的な実施例は、伝送効率を向上させ、伝送品質の劣化を抑制することができる基地局、端末、無線通信システムおよび通信方法を提供することである。
【課題を解決するための手段】
【０００９】
本開示の一態様に係る基地局は、複数の周波数帯にそれぞれ含まれる複数のチャネルのいずれかを使用して、端末と時分割複信方式の無線通信を行う基地局であって、前記無線通信に使用する複数の使用チャネルを選択するチャネル選択部と、前記端末へ下りリンク信号を送信する送信部と、前記端末から上りリンク信号を受信する受信部と、を備え、前記送信部は、前記下りリンク信号の送信区間において、少なくとも１つの前記使用チャネルを使用して前記下りリンク信号を送信し、前記受信部は、前記下りリンク信号の送信区間において、前記少なくとも１つの使用チャネルと隣接しない前記使用チャネルを使用して前記上りリンク信号を受信する。
【００１０】
本開示の一態様に係る端末は、複数の周波数帯にそれぞれ含まれる複数のチャネルのいずれかを使用して、基地局と時分割複信方式の無線通信を行う端末であって、前記無線通信に使用する複数の使用チャネルの情報を抽出する抽出部と、前記基地局から下りリンク信号を受信する受信部と、前記基地局へ上りリンク信号を送信する送信部と、を備え、前記受信部は、前記下りリンク信号の受信区間において、少なくとも１つの前記使用チャネルを使用して前記下りリンク信号を受信し、前記送信部は、前記下りリンク信号の受信区間において、前記少なくとも１つの使用チャネルと隣接しない前記使用チャネルを使用して前記上りリンク信号を送信する。
【００１１】
本開示の一態様に係る無線通信システムは、複数の周波数帯にそれぞれ含まれる複数のチャネルのいずれかを使用して、端末と基地局とが時分割複信方式の無線通信を行う無線通信システムであって、前記基地局は、前記無線通信に使用する複数の使用チャネルを選択するチャネル選択部と、前記端末へ下りリンク信号を送信する第１の送信部と、前記端末から上りリンク信号を受信する第１の受信部と、を備え、前記端末は、前記複数の使用チャネルの情報を抽出する抽出部と、前記下りリンク信号を受信する第２の受信部と、前記上りリンク信号を送信する第２の送信部と、を備え、前記第１の送信部は、前記下りリンク信号の送信区間において、少なくとも１つの前記使用チャネルを使用して前記下りリンク信号を送信し、前記第２の送信部は、前記下りリンク信号の送信区間において、前記少なくとも１つの使用チャネルと隣接しない前記使用チャネルを使用して前記上りリンク信号を送信する。
【００１２】
本開示の一態様に係る通信方法は、複数の周波数帯にそれぞれ含まれる複数のチャネルのいずれかを使用して、端末と基地局とが時分割複信方式の無線通信を行い、前記基地局は、前記無線通信に使用する複数の使用チャネルを選択し、前記端末へ下りリンク信号を送信し、前記端末から上りリンク信号を受信し、前記端末は、前記複数の使用チャネルの情報を抽出し、前記下りリンク信号を受信し、前記上りリンク信号を送信する、通信方法であって、前記基地局は、前記下りリンク信号の送信区間において、少なくとも１つの前記使用チャネルを使用して前記下りリンク信号を送信し、前記端末は、前記下りリンク信号の受信区間において、前記少なくとも１つの使用チャネルと隣接しない前記使用チャネルを使用して前記上りリンク信号を送信する。
【００１３】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本開示の一態様によれば、伝送効率を向上させ、伝送品質の劣化を抑制することができる。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】複数のチャネルを同時に使用するＦＰＵの送受信信号の第１の例を示す図
【図２】複数のチャネルを同時に使用するＦＰＵの送受信信号の第２の例を示す図
【図３】本開示の実施の形態に係る基地局の構成例を示すブロック図
【図４】本開示の実施の形態に係る端末の構成例を示すブロック図
【図５】本開示の実施の形態に係る送受信信号の一例を示す図
【図６】本開示の実施の形態に係る送受信信号の一例を示す図
【図７】ＤＬ信号に含まれるチャネル情報のフォーマットの第１の例を示す図
【図８】ＤＬ信号に含まれるチャネル情報のフォーマットの第２の例を示す図
【図９】本開示の実施の形態における基地局の処理フローを示すフローチャート
【図１０】本開示の実施の形態における端末の処理フローを示すフローチャート
【図１１】本開示の実施の形態の変形例１に係る送受信信号の一例を示す図
【図１２】本開示の実施の形態の変形例２に係る送受信信号の一例を示す図
【図１３】本開示の実施の形態の変形例３に係る送受信信号の一例を示す図
【図１４】本開示の実施の形態の変形例４に係る送受信信号の一例を示す図
【図１５】ＤＬ信号に含まれるチャネル情報のフォーマットの第３の例を示す図
【図１６】ＤＬ信号に含まれるチャネル情報のフォーマットの第４の例を示す図
【図１７】ＤＬ信号に含まれるチャネル情報のフォーマットの第５の例を示す図
【図１８】本開示の実施の形態の変形例５に係る送受信信号の一例を示す図
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分に理解するために、提供されるのであって、これらにより特許請求の範囲に記載の主題を限定することは意図されていない。
【００１９】
図１は、複数のチャネルを同時に使用するＦＰＵの送受信信号の第１の例を示す図である。図２は、複数のチャネルを同時に使用するＦＰＵの送受信信号の第２の例を示す図である。図１、図２には、連続する２つのフレーム（フレーム＃ｎとフレーム＃ｎ＋１）と、各フレームの上りリンク区間（ＵＬ（Uplink）区間）および下りリンク区間（ＤＬ（Downlink）区間）が示される。そして、各フレームのＵＬ区間およびＤＬ区間において、キャリア周波数ｆ１のチャネル（以下、チャネルｆ１と記載する）とキャリア周波数ｆ２のチャネル（以下、チャネルｆ２と記載する）それぞれを使用して送受信される信号が示される。
【００２０】
上りリンク信号（ＵＬ（Uplink）信号）は、映像情報等を含む信号であり、端末から基地局に送信される。下りリンク信号（ＤＬ（Downlink）信号）は、ＤＬ制御情報等のフィードバック情報を含む信号であり、基地局から端末へ送信される。
【００２１】
図１では、ＵＬ区間において、端末は、チャネルｆ１およびチャネルｆ２を使用してＵＬ信号を送信し、基地局は、端末によって送信されたＵＬ信号を受信する。そして、ＤＬ区間において、基地局は、チャネルｆ１およびチャネルｆ２を使用してＤＬ信号を送信し、端末は、基地局によって送信されたＤＬ信号を受信する。
【００２２】
ＦＰＵでは、ＵＬ信号が映像情報等を含む信号であり、ＤＬ信号がフィードバック情報を含む信号であるため、図１の例のように、ＤＬ信号を送受信する区間が増加すると、映像情報等を含むＵＬ信号の伝送効率が低下してしまう。
【００２３】
図２では、ＵＬ区間において、端末は、チャネルｆ１およびチャネルｆ２を使用してＵＬ信号を送信し、基地局は、端末によって送信されたＵＬ信号を受信する。そして、ＤＬ区間において、基地局は、チャネルｆ１を使用してＤＬ信号を送信し、端末は、チャネルｆ２を使用してＵＬ信号を送信する。そして、基地局は、チャネルｆ２を使用して端末によって送信されたＵＬ信号を受信し、端末は、チャネルｆ１を使用して基地局によって送信されたＤＬ信号を受信する。
【００２４】
図２の例では、ＤＬ区間において、チャネルｆ１を使用してＤＬ信号が送受信され、チャネルｆ２を使用してＵＬ信号が送受信されるため、ＤＬ信号を送受信する区間が図１と比較して少ない。そのため、ＵＬ信号の伝送効率の低下は抑制される。しかしながら、基地局は、チャネルｆ１を使用してＤＬ信号を送信しながら、チャネルｆ２を使用してＵＬ信号を受信しているため、チャネルｆ１とチャネルｆ１に隣接するチャネルｆ２との間の干渉により、伝送品質（例えば、ＵＬ信号の受信品質）が劣化してしまう。
【００２５】
本開示は、掛かる点に鑑みて為されたものであり、伝送効率を向上させ、伝送品質の劣化を抑制することができる基地局、端末、無線通信システムおよび通信方法を提供する。
【００２６】
（実施の形態）
実施の形態に係る無線通信システムは、図３に示す基地局１００と、図４に示す端末２００と、を有する。基地局１００および端末２００は、例えば、放送分野の素材伝送に用いられるＦＰＵである。すなわち、端末２００はＵＬ信号として映像情報等を基地局１００へ送信し、基地局１００はＤＬ信号として、フィードバックするＤＬ制御情報等を端末２００へ送信する。
【００２７】
また、本実施の形態に係る無線通信システムでは、時分割複信（ＴＤＤ：Time Division Duplex）方式を用いて、ＵＬ信号とＤＬ信号とが送受信される。また、ＵＬ信号とＤＬ信号の間には、ガードタイムと呼ばれる信号の無送信区間が設けられる。また、本実施の形態に係る無線通信システムでは、複数の周波数帯が利用可能であり、各周波数帯が複数のチャネルを含んでいる。そして、本実施の形態に係る無線通信システムでは、複数の周波数帯それぞれに含まれる複数のチャネルの少なくとも１つを用いてＵＬ信号とＤＬ信号とが送受信される。
【００２８】
＜基地局の構成＞
本実施の形態に係る基地局１００の構成例について図３を用いて説明する。図３は、本実施の形態に係る基地局１００の構成例を示すブロック図である。
【００２９】
図３に示すように、基地局１００は、送受切替部１０１と、無線受信部１０２−１〜１０２−Ｍ（Ｍは２以上の整数）と、ベースバンド受信処理部１０３と、ＡＧＣ／同期検出部１０４と、受信処理制御部１０５と、干渉測定部１０６と、チャネル選択部１０７と、ＵＬ／ＤＬ選択部１０８と、チャネル情報生成部１０９と、ベースバンド送信処理部１１０と、プリアンブル生成部１１１と、付加部１１２と、無線送信部１１３−１〜１１３−Ｎ（Ｎは２以上の整数）と、から主に構成される。
【００３０】
そして、無線受信部１０２−１〜１０２−Ｍと、ベースバンド受信処理部１０３と、ＡＧＣ／同期検出部１０４と、受信処理制御部１０５と、干渉測定部１０６と、から主に構成される受信部１１４は、端末２００からＵＬ信号を受信する。また、ベースバンド送信処理部１１０と、プリアンブル生成部１１１と、付加部１１２と、無線送信部１１３−１〜１１３−Ｎと、から主に構成される送信部１１５は、端末２００へＤＬ信号を送信する。なお、Ｍは、例えば、受信部１１４がＵＬ信号を受信可能なチャネルの数、Ｎは、例えば、送信部１１５がＤＬ信号を送信可能なチャネルの数である。ＭとＮは、同一であっても良いし、異なっていても良い。
【００３１】
送受切替部１０１は、後述するＵＬ／ＤＬ選択部１０８から設定情報を取得し、ＵＬ区間およびＤＬ区間において、信号の送信と受信の切替を行う。例えば、送受切替部１０１は、ＵＬ区間において、設定情報が示すチャネルそれぞれを使用してアンテナを介してＵＬ信号を受信するように切替を行う。また、送受切替部１０１は、ＤＬ区間において、設定情報が示すチャネルそれぞれを使用してＵＬ信号の受信またはＤＬ信号の送信を行うように信号の送信と受信の切替を行う。なお、設定情報が示すチャネルとは、後述するチャネル選択部１０７によって選択され、通信に用いられるチャネルである。
【００３２】
無線受信部１０２−１〜１０２−Ｍは、後述する受信処理制御部１０５から取得する１フレーム前のＡＧＣ（Automatic Gain Control）の情報に基づき、送受切替部１０１を介して取得する無線信号（ＵＬ信号）に対して、増幅、フィルタリング等の無線受信処理を行う。そして、無線受信部１０２−１〜１０２−Ｍは、無線受信処理後の信号に対して、設定情報が示す各チャネルのキャリア周波数に基づいて、ダウンコンバートし、各チャネルのベースバンド信号を得る。そして、無線受信部１０２−１〜１０２−Ｍは、各チャネルのベースバンド信号を出力する。
【００３３】
ベースバンド受信処理部１０３は、後述する受信処理制御部１０５から取得するタイミング情報に基づき、無線受信部１０２−１〜１０２−Ｍから取得したベースバンド信号に対して、ＦＦＴ（Fast Fourier Transform）処理、復調処理、誤り訂正処理等のベースバンド受信処理を行う。そして、ベースバンド受信処理部１０３は、ベースバンド受信処理が行われた受信データを出力する。
【００３４】
ＡＧＣ／同期検出部１０４は、無線受信部１０２−１〜１０２−Ｍから取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部１０４は、タイミング、ＡＧＣのための情報の検出結果を受信処理制御部１０５へ出力する。
【００３５】
受信処理制御部１０５は、ＡＧＣ／同期検出部１０４から取得する検出結果に基づいて、受信処理のタイミング、および、ＡＧＣを制御する。具体的には、受信処理制御部１０５は、ベースバンド受信処理の開始時点、終了時点等の処理タイミングを示すタイミング情報をベースバンド受信処理部１０３へ出力する。また、受信処理制御部１０５は、干渉測定の開始時点、終了時点等の処理タイミングを示すタイミング情報を干渉測定部１０６へ出力する。また、受信処理制御部１０５は、ＡＧＣの情報を無線受信部１０２−１〜１０２−Ｍへ出力する。
【００３６】
その際、受信処理制御部１０５は、ＡＧＣ／同期検出部１０４から検出結果を取得する場合、取得した検出結果に基づいて、タイミング情報およびＡＧＣの情報を生成する。
【００３７】
干渉測定部１０６は、受信処理制御部１０５から取得するタイミング情報に基づき、ガードタイムの区間を干渉測定区間として、干渉測定区間における、利用可能な各周波数帯が含む各チャネルの受信レベル（干渉量、例えば、受信強度（ＲＳＳＩ：Received Signal Strength Indicator））を測定する。例えば、干渉測定部１０６は、測定結果をチャネル選択部１０７へ出力する。
【００３８】
チャネル選択部１０７は、干渉測定部１０６によって測定された、各周波数帯が含む各チャネルの受信レベルに基づいて、通信に用いるチャネルを選択する。例えば、チャネル選択部１０７は、受信レベルが所定値以下のチャネルを、通信に用いるチャネルとして選択する。
【００３９】
ＵＬ／ＤＬ選択部１０８は、チャネル選択部１０７によって選択されたチャネルそれぞれについて、ＤＬ区間におけるＵＬ信号の受信（ＵＬ受信）に使用するか、または、ＤＬ区間におけるＤＬ信号の送信（ＤＬ送信）に使用するか、を選択する。
【００４０】
例えば、ＵＬ／ＤＬ選択部１０８は、チャネル選択部１０７によって選択されたチャネルの中で、比較的低いキャリア周波数のチャネルをＤＬ送信に使用する、と選択する。
【００４１】
そして、ＵＬ／ＤＬ選択部１０８は、ＤＬ送信に使用すると選択したチャネルに隣接しないチャネルをＵＬ送信に使用する、と選択する。例えば、ＵＬ／ＤＬ選択部１０８は、チャネル選択部１０７によって選択されたチャネルが異なる周波数帯に含まれる場合、ＤＬ送信に使用すると選択したチャネルを含む周波数帯と異なる周波数帯に含まれるチャネルをＵＬ送信に使用する、と選択する。つまり、ＤＬ送信に使用すると選択したチャネルに隣接しないチャネルとは、例えば、ＤＬ送信に使用すると選択したチャネルを含む周波数帯と異なる周波数帯に含まれるチャネルであっても良い。
【００４２】
なお、ＤＬ区間におけるＵＬ受信またはＤＬ送信の選択の具体例については、後述する。
【００４３】
ＵＬ／ＤＬ選択部１０８は、チャネル選択部１０７によって選択されたチャネルと、選択されたチャネルをＤＬ区間におけるＵＬ受信に使用するか、または、ＤＬ送信に使用するか、とを対応付けた情報（設定情報）を送受切替部１０１、チャネル情報生成部１０９、受信部１１４および送信部１１５へ出力する。
【００４４】
チャネル情報生成部１０９は、ＵＬ／ＤＬ選択部１０８から取得する設定情報に基づいて、端末２００に通知する情報（チャネル情報）を生成する。チャネル情報生成部１０９は、チャネル情報をベースバンド送信処理部１１０へ出力する。なお、チャネル情報生成部１０９において生成されるチャネル情報の具体例については、後述する。
【００４５】
ベースバンド送信処理部１１０は、送信データ（ＤＬデータ）およびチャネル情報に対して誤り訂正符号化および変調を行い、ＩＦＦＴ（Inverse Fast Fourier Transform）処理を行い、設定情報が示すチャネルの数のベースバンド信号を得る。そして、ベースバンド送信処理部１１０は、ベースバンド信号を付加部１１２へ出力する。
【００４６】
プリアンブル生成部１１１は、設定情報が示すチャネルの数のプリアンブルを生成し、付加部１１２へ出力する。プリアンブルデータは、予め端末２００と基地局１００とが既知のシンボルデータ等である。
【００４７】
付加部１１２は、所定のフレーム構成に基づき、送信データのベースバンド信号の前段にプリアンブル生成部１１１から取得するプリアンブルを付加する。そして、付加部１１２は、送信データのベースバンド信号の前段にプリアンブルを付加したベースバンドの送信信号を無線送信部１１３−１〜１１３−Ｎへ出力する。
【００４８】
無線送信部１１３−１〜１１３―Ｎは、プリアンブルが付加されたベースバンドの送信信号に対して、増幅、フィルタリング等の無線送信処理を行う。そして、無線送信部１１３−１〜１１３―Ｎは、設定情報が示す各チャネルのキャリア周波数に基づいて、無線送信処理後の信号に対してアップコンバートし、無線信号を得る。そして、無線送信部１１３−１〜１１３―Ｎは、送受切替部１０１を介してアンテナから無線信号（ＤＬ信号）を送信する。
【００４９】
＜端末の構成＞
次に、本実施の形態に係る端末２００の構成例について図４を用いて説明する。図４は、本実施の形態に係る端末２００の構成例を示すブロック図である。
【００５０】
図４に示すように、端末２００は、送受切替部２０１と、無線受信部２０２−１〜２０２−Ｎと、ベースバンド受信処理部２０３と、ＡＧＣ／同期検出部２０４と、受信処理制御部２０５と、チャネル情報抽出部２０６と、ベースバンド送信処理部２０７と、プリアンブル生成部２０８と、付加部２０９と、無線送信部２１０−１〜２１０−Ｍと、から主に構成される。
【００５１】
そして、無線受信部２０２−１〜２０２−Ｎと、ベースバンド受信処理部２０３と、ＡＧＣ／同期検出部２０４と、受信処理制御部２０５とから主に構成される受信部２１１は、基地局１００からＤＬ信号を受信する。また、ベースバンド送信処理部２０７と、プリアンブル生成部２０８と、付加部２０９と、無線送信部２１０−１〜２１０−Ｍとから主に構成される送信部２１２は、基地局１００へＵＬ信号を送信する。
【００５２】
送受切替部２０１は、後述するチャネル情報抽出部２０６からチャネル情報を取得し、ＵＬ区間およびＤＬ区間において、信号の送信と受信の切替を行う。例えば、送受切替部２０１は、ＵＬ区間において、チャネル情報が示すチャネルそれぞれを使用してアンテナを介してＵＬ信号を送信するように切替を行う。また、送受切替部２０１は、ＤＬ区間において、チャネル情報が示すチャネルそれぞれを使用してＵＬ信号の送信またはＤＬ信号の受信を行うように信号の送信と受信の切替を行う。なお、チャネル情報が示すチャネルとは、上述したチャネル選択部１０７によって選択され、通信に用いられるチャネルである。
【００５３】
無線受信部２０２−１〜２０２−Ｎは、後述する受信処理制御部２０５から取得する１フレーム前のＡＧＣの情報に基づき、アンテナに受信された無線信号（ＤＬ信号）に対して、増幅、フィルタリング等の無線受信処理を行う。そして、無線受信部２０２−１〜２０２−Ｎは、無線受信処理後の信号に対して、チャネル情報が示す各チャネルのキャリア周波数に基づいて、ダウンコンバートし、各チャネルのベースバンド信号を得る。そして、無線受信部２０２−１〜２０２−Ｎは、各チャネルのベースバンド信号を出力する。
【００５４】
ベースバンド受信処理部２０３は、後述する受信処理制御部２０５から取得するタイミング情報に基づき、無線受信部２０２−１〜２０２−Ｎから取得したベースバンド信号に対して、ＦＦＴ（Fast Fourier Transform）処理、復調処理、誤り訂正処理等のベースバンド受信処理を行う。そして、ベースバンド受信処理部２０３は、ベースバンド受信処理が行われた受信データを出力する。なお、受信データには、基地局１００から送信されるチャネル情報のベースバンド受信処理の結果が含まれる。
【００５５】
ＡＧＣ／同期検出部２０４は、無線受信部２０２−１〜２０２−Ｎから取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部２０４は、タイミング、ＡＧＣのための情報の検出結果を受信処理制御部２０５へ出力する。
【００５６】
受信処理制御部２０５は、ＡＧＣ／同期検出部２０４から取得する検出結果に基づいて、受信処理のタイミング、および、ＡＧＣを制御する。具体的には、受信処理制御部２０５は、ベースバンド受信処理の開始時点、終了時点等の処理タイミングを示すタイミング情報をベースバンド受信処理部２０３へ出力する。また、受信処理制御部２０５は、ＡＧＣの情報を無線受信部２０２−１〜２０２−Ｎへ出力する。
【００５７】
チャネル情報抽出部２０６は、ベースバンド受信処理部２０３から受信データを取得し、チャネル情報を抽出する。そして、チャネル情報抽出部２０６は、抽出したチャネル情報を送受切替部２０１、受信部２１１および送信部２１２へ出力する。
【００５８】
ベースバンド送信処理部２０７は、送信データ（ＵＬデータ）に対して誤り訂正符号化および変調を行い、ＩＦＦＴ（Inverse Fast Fourier Transform）処理を行い、チャネル情報が示すチャネルの数の送信データのベースバンド信号を得る。そして、ベースバンド送信処理部２０７は、送信データのベースバンド信号を付加部２０９へ出力する。
【００５９】
プリアンブル生成部２０８は、チャネル情報が示すチャネルの数のプリアンブルを生成し、付加部２０９へ出力する。
【００６０】
付加部２０９は、所定のフレーム構成に基づき、送信データのベースバンド信号の前段にプリアンブル生成部２０８から取得するプリアンブルを付加する。そして、付加部２０９は、送信データのベースバンド信号の前段にプリアンブルを付加したベースバンドの送信信号を無線送信部２１０−１〜２１０−Ｍへ出力する。
【００６１】
無線送信部２１０−１〜２１０−Ｍは、プリアンブルが付加されたベースバンドの送信信号に対して、増幅、フィルタリング等の無線送信処理を行う。そして、無線送信部１０９は、チャネル情報が示す各チャネルのキャリア周波数に基づいて、無線送信処理後の信号に対してアップコンバートし、無線信号（ＵＬ信号）を得る。そして、無線送信部２１０−１〜２１０−Ｍは、送受切替部２０１を介してアンテナからＵＬ信号を送信する。
【００６２】
＜ＤＬ区間におけるＵＬ受信またはＤＬ送信の選択の具体例＞
以下では、一例として、基地局１００と端末２００とを有する無線通信システムにおいて、２つの周波数帯が利用可能であり、各周波数帯が２つのチャネルを含む例を説明する。そして、この例では、基地局１００のチャネル選択部１０７は、２つのチャネルを選択する。
【００６３】
この場合、ＵＬ／ＤＬ選択部１０８は、基地局１００が２つの周波数帯を使用する場合、つまり、チャネル選択部１０７によって選択された２つのチャネルが異なる周波数帯に含まれる場合、ＤＬ区間において、比較的低い周波数帯に含まれる１つのチャネルを使用してＤＬ信号を送信し、比較的高い周波数帯に含まれる１つのチャネルを使用してＵＬ信号を受信する、と選択する。そして、ＵＬ／ＤＬ選択部１０８は、基地局１００が１つの周波数帯を使用する場合、つまり、チャネル選択部１０７によって選択された複数のチャネルが同じ周波数帯に含まれる場合、ＤＬ区間において、２つのチャネルを使用してＤＬ信号を送信する、と選択する。
【００６４】
図５、図６は、本実施の形態に係る送受信信号の一例を示す図である。
【００６５】
図５、図６の横軸は時間を示し、縦軸は周波数を示す。図５、図６には、チャネルｆ１１とチャネルｆ１２を含むＢａｎｄ１と、チャネルｆ２１とチャネルｆ２２を含むＢａｎｄ２の２つの周波数帯が示される。また、図５、図６には、ｎ番目（ｎは１以上の整数）のフレーム（フレーム＃ｎ）とｎ＋１番目のフレーム（フレーム＃ｎ＋１）の２つのフレームが示される。前述の通り、本実施の形態における無線通信システムでは、時分割複信方式を用いた通信が行われるため、図５、図６に示すように、ＵＬ区間とＤＬ区間とは、時分割によって設けられている。なお、ＵＬ区間とＤＬ区間との間（例えば、ＵＬ信号とＤＬ信号との間）には、ガードタイム（ＧＴ：Guard Time）が設けられる場合があるが、図示の便宜上、省略する。
【００６６】
本実施の形態に係る無線通信システムでは、例えば、Ｂａｎｄ１として１．２ＧＨｚ帯が使用され、Ｂａｎｄ２として２．３ＧＨｚ帯が使用される。
【００６７】
図５は、基地局１００が、チャネルｆ１１とチャネルｆ２２を選択した場合の送受信信号の例である。図５に示すように、基地局１００によって選択されたチャネルｆ１１とチャネルｆ２２が、それぞれ、異なる周波数帯であるＢａｎｄ１とＢａｎｄ２に含まれる場合、ＤＬ区間において、基地局１００はチャネルｆ１１を使用してＤＬ信号を送信し、端末はチャネルｆ２２を使用してＵＬ信号を送信する。そして、基地局１００は、チャネルｆ２２を使用して端末２００によって送信されたＵＬ信号を受信し、端末２００は、チャネルｆ１１を使用して基地局１００によって送信されたＤＬ信号を受信する。
【００６８】
図６は、基地局１００が、チャネルｆ１１とチャネルｆ１２を選択した場合の送受信信号の例である。図６に示すように、基地局１００によって選択されたチャネルｆ１１とチャネルｆ１２が、同じ周波数帯であるＢａｎｄ１に含まれる場合、ＤＬ区間において、基地局１００は、チャネルｆ１１およびチャネルｆ１２を使用してＤＬ信号を送信し、端末２００は、基地局１００によってチャネルｆ１１およびチャネルｆ１２を使用して送信されたＤＬ信号を受信する。
【００６９】
図５に示すように、本実施の形態に係る無線通信システムが、異なる複数の周波数帯を使用する場合、つまり、基地局１００により選択された複数のチャネルが異なる周波数帯に含まれる場合、ＤＬ区間において、基地局１００は１つのチャネルを使用してＤＬ信号を送信する。一方で、図６に示すように、本実施の形態に係る無線通信システムが、１つの周波数帯を使用する場合、つまり、基地局１００により選択された複数のチャネルが同じ周波数帯に含まれる場合、ＤＬ区間において、基地局１００は選択した複数のチャネル全てを使用してＤＬ信号を送信する。
【００７０】
＜チャネル情報の具体例＞
図７は、ＤＬ信号に含まれるチャネル情報のフォーマットの第１の例を示す図である。なお、図７のチャネル情報は、例えば、図５に示すように、基地局１００が２つのチャネルを選択する場合の情報である。
【００７１】
チャネル情報は、チャネル＃１の情報およびチャネル＃２の情報を含む。チャネル＃１の情報およびチャネル＃２の情報は、それぞれ、識別情報とチャネルＩＤとＤＬ／ＵＬ識別情報とを含む。なお、基地局１００が３つ以上のチャネルを選択する場合、チャネル＃３以降の情報を含む。
【００７２】
チャネルＩＤは、基地局１００が選択したチャネルの識別子である。基地局１００と端末２００は、使用可能な、複数の周波数帯それぞれに含まれる複数のチャネル（図５、図６の例では、４つのチャネル）と各チャネルのチャネルＩＤとの対応関係のリストを有する。そして、端末２００は、チャネルＩＤにより、次のフレームにおいて使用するチャネルを特定する。
【００７３】
識別情報は、チャネルの変更の有無を示す情報である。例えば、チャネル＃１が現フレームにおいて使用されているチャネルから変更されない場合、つまり、現フレームにおいてチャネル＃１が使用され、次フレームもチャネル＃１が使用される場合、チャネル＃１の情報に含まれる識別情報は、「０」に設定される。一方で、チャネル＃１が現フレームにおいて使用されているチャネルから変更される場合、つまり、現フレームにおいてチャネル＃１が使用されておらず、次フレームからチャネル＃１が使用される場合、チャネル＃１の情報に含まれる識別情報は、「１」に設定される。
【００７４】
ＤＬ／ＵＬ識別情報は、ＤＬ区間において、各チャネルを使用してＤＬ信号の送受信を実行するか、または、ＵＬ信号の送受信を実行するかを識別する１ビットの情報である。例えば、ＤＬ区間において、チャネル＃１を使用してＤＬ信号の送受信が実行される場合、チャネル＃１の情報に含まれるＤＬ／ＵＬ識別情報は、「０」に設定される。一方で、ＤＬ区間において、チャネル＃１を使用してＵＬ信号の送受信が実行される場合、チャネル＃１の情報に含まれるＤＬ／ＵＬ識別情報は、「１」に設定される。
【００７５】
例えば、図５では、チャネル＃１およびチャネル＃２は、それぞれ、チャネルｆ１１およびチャネルｆ２２に対応する。また、フレーム＃ｎ−１（図示せず）とフレーム＃ｎとの間で、チャネルｆ２２が変更されず、チャネルｆ１１がチャネルｆ１２から変更されたとする。この場合、フレーム＃ｎ−１のＤＬ区間にて基地局１００から送信されるＤＬ信号に含まれるチャネル＃１のチャネルＩＤおよびチャネル＃２のチャネルＩＤは、それぞれ、チャネルｆ１１のＩＤおよびチャネルｆ２２のＩＤとなる。また、チャネル＃１の識別情報は、「１」に設定され、チャネル＃２の識別情報は、「０」に設定される。また、チャネル＃１のＤＬ／ＵＬ識別情報は、フレーム＃ｎのＤＬ区間においてチャネルｆ１１を使用してＤＬ信号の送受信が実行されるため、「０」に設定される。また、チャネル＃２のＤＬ／ＵＬ識別情報は、フレーム＃ｎのＤＬ区間においてチャネルｆ２２を使用してＵＬ信号の送受信が実行されるため、「１」に設定される。
【００７６】
なお、図５のフレーム＃ｎとフレーム＃ｎ＋１との間では、使用するチャネルおよびＤＬ信号を送受信するチャネルが変更されない。このような場合、フレーム＃ｎのＤＬ区間にて基地局１００から送信されるＤＬ信号は、チャネル情報を含まなくても良い。
【００７７】
図８は、ＤＬ信号に含まれるチャネル情報のフォーマットの第２の例を示す図である。なお、図８のチャネル情報は、図７と同様に、基地局１００が２つのチャネルを選択する場合の情報である。
【００７８】
チャネル情報は、チャネル＃１の情報、チャネル＃２の情報およびＤＬ送信バンド情報を含む。チャネル＃１の情報およびチャネル＃２の情報は、それぞれ、識別情報とチャネルＩＤとを含む。なお、基地局１００が３つ以上のチャネルを選択する場合、チャネル＃３以降の情報を含む。また、識別情報とチャネルＩＤについては、図７と同様であるので、詳細な説明は省略する。
【００７９】
図７のチャネル情報では、ＤＬ／ＵＬ識別情報が複数のチャネル（チャネル＃１およびチャネル＃２）の情報それぞれに含まれていたのに対し、図８のチャネル情報は、ＤＬ／ＵＬ識別情報の代わりにＤＬ送信バンド情報が含まれる。
【００８０】
ＤＬ送信バンド情報は、基地局１００がＤＬ信号を送信する周波数帯を示す情報である。例えば、図５、図６のように、Ｂａｎｄ１およびＢａｎｄ２の２つの周波数帯が利用可能である場合、ＤＬ送信バンド情報は、１ビットで表される。そして、基地局１００がＢａｎｄ１に含まれるチャネルを使用してＤＬ信号を送信する場合、ＤＬ送信バンド情報は「０」に設定され、基地局１００がＢａｎｄ２に含まれるチャネルを使用してＤＬ信号を送信する場合、ＤＬ送信バンド情報は「１」に設定される。なお、３つ以上の周波数帯が利用可能である場合、ＤＬ送信バンド情報は、２ビット以上であっても良い。
【００８１】
例えば、図５では、基地局１００がＢａｎｄ１に含まれるチャネルｆ１１を使用してＤＬ信号を送信するため、ＤＬ送信バンド情報は「０」に設定される。また、図６では、基地局１００がＢａｎｄ１に含まれるチャネルｆ１１およびチャネルｆ１２を使用してＤＬ信号を送信するため、ＤＬ送信バンド情報は「０」に設定される。
【００８２】
図８のチャネル情報は、図７のチャネル情報に含まれるＤＬ／ＵＬ識別情報の代わりに、ＤＬ送信バンド情報を含む構成を採る。ＤＬ／ＵＬ識別情報は、使用するチャネル毎に設定される１ビットの情報であるのに対し、ＤＬ送信バンド情報は、利用可能な周波数帯のうち、ＤＬ信号を送信する周波数帯を特定する情報である。そのため、例えば、使用するチャネルの数が多いほど、図７のチャネル情報のサイズ（ビット数）は大きくなり、利用可能な周波数帯の数が多いほど、ＤＬ送信バンド情報のサイズは大きくなる。基地局１００は、利用可能な周波数帯の数および使用するチャネルの数に応じて、図７と図８のチャネル情報のフォーマットを選択しても良い。
【００８３】
なお、基地局１００は、次のフレームにおいて使用するチャネルを変更する場合、および／または、ＤＬ信号を送信するチャネルを変更する場合に、図７または図８に示したチャネル情報を端末２００に送信する。また、基地局１００は、端末２００との通信開始前に図７または図８に示したチャネル情報を端末２００に送信する。例えば、基地局１００は、端末２００との通信開始前では、デフォルトで設定されたチャネルを使用してチャネル情報を送信する。
【００８４】
基地局１００は、使用するチャネルを変更しない場合、および、基地局１００がＤＬ信号を送信するチャネルを変更しない場合、チャネル情報を端末２００に送信しなくても良い。
【００８５】
＜基地局１００の処理フロー＞
次に、本実施の形態における基地局１００の処理フローについて説明する。図９は、本実施の形態における基地局１００の処理フローを示すフローチャートである。図９では、ｎ番目のフレームのＵＬ区間とＤＬ区間におけるチャネル＃１とチャネル＃２を使用した信号の送受信の処理フローが示されている。
【００８６】
基地局１００は、ＵＬ区間において、チャネル＃１とチャネル＃２を使用して、端末２００によって送信されるＵＬ信号を受信する（Ｓ１０１）。
【００８７】
基地局１００は、ＤＬ信号の送信タイミングが到来したか否か、つまり、ＤＬ区間の開始タイミングが到来したか否かを判定する（Ｓ１０２）。
【００８８】
ＤＬ信号の送信タイミングが到来していない場合（Ｓ１０２にてＮＯ）、つまり、ＵＬ区間中である場合、フローは、Ｓ１０１の処理へ戻り、ＤＬ信号の送信タイミングが到来するまで、基地局１００は、ＵＬ信号を受信する。
【００８９】
ＤＬ信号の送信タイミングが到来した場合（Ｓ１０２にてＹＥＳ）、基地局１００は、使用しているチャネル＃１とチャネル＃２が異なる周波数帯に含まれるか否かを判定する（Ｓ１０３）。
【００９０】
チャネル＃１とチャネル＃２が異なる周波数帯に含まれている場合（Ｓ１０３にてＹＥＳ）、基地局１００は、ＤＬ区間において、チャネル＃１を使用して端末２００によって送信されるＵＬ信号を受信し、チャネル＃２を使用して端末２００に対してＤＬ信号を送信する（Ｓ１０４）。そして、ｎ番目のフレームにおけるＤＬ区間の終了までＵＬ信号の受信とＤＬ信号の送信を行い、フローは、終了する。
【００９１】
チャネル＃１とチャネル＃２が異なる周波数帯に含まれていない場合（Ｓ１０３にてＮＯ）、つまり、チャネル＃１とチャネル＃２が同じ周波数帯に含まれている場合、基地局１００は、チャネル＃１およびチャネル＃２を使用して端末２００に対してＤＬ信号を送信する（Ｓ１０５）。そして、ｎ番目のフレームにおけるＤＬ区間の終了までＤＬ信号の送信を行い、フローは、終了する。
【００９２】
なお、図９では、Ｓ１０３にて、基地局１００は使用しているチャネル＃１とチャネル＃２が異なる周波数帯に含まれるか否かを判定する、として説明したが、端末２００は、設定情報に基づいて、Ｓ１０３以降の処理（つまり、Ｓ１０４またはＳ１０５の処理）を行っても良い。
【００９３】
＜端末２００の処理フロー＞
次に、本実施の形態における端末２００の処理フローについて説明する。図１０は、本実施の形態における端末２００の処理フローを示すフローチャートである。図１０では、ｎ番目のフレームのＵＬ区間とＤＬ区間におけるチャネル＃１とチャネル＃２を使用した信号の送受信の処理フローが示されている。
【００９４】
端末２００は、ＵＬ区間において、チャネル＃１とチャネル＃２を使用して、基地局１００に対してＵＬ信号を送信する（Ｓ２０１）。
【００９５】
端末２００は、ＤＬ信号の受信タイミングが到来したか否か、つまり、ＤＬ区間の開始タイミングが到来したか否かを判定する（Ｓ２０２）。
【００９６】
ＤＬ信号の受信タイミングが到来していない場合（Ｓ２０２にてＮＯ）、つまり、現時点がＵＬ区間中である場合、フローは、Ｓ２０１の処理へ戻り、ＤＬ信号の受信タイミングに到達するまで、端末２００は、ＵＬ信号を送信する。
【００９７】
ＤＬ信号の受信タイミングが到来した場合（Ｓ２０２にてＹＥＳ）、端末２００は、使用しているチャネル＃１とチャネル＃２が異なる周波数帯に含まれるか否かを判定する（Ｓ２０３）。
【００９８】
チャネル＃１とチャネル＃２が異なる周波数帯に含まれている場合（Ｓ２０３にてＹＥＳ）、端末２００は、ＤＬ区間において、チャネル＃１を使用して基地局１００に対してＵＬ信号を送信し、チャネル＃２を使用して基地局１００によって送信されるＤＬ信号を受信する（Ｓ２０４）。そして、ｎ番目のフレームにおけるＤＬ区間の終了までＵＬ信号の送信とＤＬ信号の受信を行い、フローは、終了する。
【００９９】
チャネル＃１とチャネル＃２が異なる周波数帯に含まれていない場合（Ｓ２０３にてＮＯ）、つまり、チャネル＃１とチャネル＃２が同じ周波数帯に含まれている場合、端末２００は、チャネル＃１およびチャネル＃２を使用して基地局１００によって送信されるＤＬ信号を受信する（Ｓ２０５）。そして、ｎ番目のフレームにおけるＤＬ区間の終了までＤＬ信号の受信を行い、フローは、終了する。
【０１００】
なお、図１０では、Ｓ２０３にて、端末２００は使用しているチャネル＃１とチャネル＃２が異なる周波数帯に含まれるか否かを判定する、として説明したが、端末２００は、基地局１００から受信するＤＬ信号に含まれるチャネル情報に基づいて、Ｓ２０３以降の処理（つまり、Ｓ２０４またはＳ２０５の処理）を行っても良い。
【０１０１】
以上、本実施の形態では、基地局１００は、端末２００との通信に使用する複数のチャネルを選択する。そして、基地局１００は、選択した複数のチャネルが異なる周波数帯に含まれる場合に、ＤＬ区間において、１つの周波数帯に含まれるチャネルを使用してＤＬ信号を送信し、当該１つの周波数帯と異なる周波数帯に含まれるチャネルを使用してＵＬ信号を受信する。この構成により、選択した複数のチャネルが異なる周波数帯に含まれていることによって互いに干渉しない場合に、基地局１００は、ＤＬ区間において、同時に複数のチャネルを使用してＤＬ信号の送信とＵＬ信号の受信を行うことができるため、ＵＬ信号の伝送効率を向上させ、伝送品質の劣化を抑制することができる。
【０１０２】
また、本実施の形態によれば、基地局１００のＤＬ／ＵＬ選択部１０８は、チャネル選択部１０７によって選択されたチャネルの中で、比較的低いキャリア周波数のチャネルをＤＬ送信に使用する、と選択する。この選択方法により、基地局１００は、伝搬損失が比較的少ないチャネルを使用してＤＬ信号を送信できるため、ＤＬ信号の伝送品質の劣化を抑制することができる。
【０１０３】
なお、上述した本実施の形態では、ＤＬ／ＵＬ選択部１０８は、チャネル選択部１０７によって選択されたチャネルの中で、比較的低いキャリア周波数のチャネルをＤＬ送信に使用する、と選択する例について説明したが、本開示はこれに限定されない。
【０１０４】
例えば、ＵＬ／ＤＬ選択部１０８は、チャネル選択部１０７によって選択されたチャネルの中で、干渉測定部１０６によって測定された受信レベル（干渉量）が比較的低いチャネルをＤＬ送信に使用する、と選択しても良い。この選択方法により、基地局１００は、他のシステムからの干渉が比較的少ないチャネルを使用してＤＬ信号を送信できるため、ＤＬ信号の伝送品質の劣化を抑制できる。
【０１０５】
あるいは、利用可能なチャネルに対して異なるＭＣＳ（Modulation and Coding Scheme）値が設定される場合、ＵＬ／ＤＬ選択部１０８は、ＭＣＳの値に基づいて、チャネル選択部１０７によって選択されたチャネルそれぞれについて、ＤＬ区間におけるＵＬ受信に使用するか、または、ＤＬ区間におけるＤＬ送信に使用するか、を選択しても良い。
【０１０６】
例えば、ＵＬ／ＤＬ選択部１０８は、チャネル選択部１０７によって選択されたチャネルの中で、最もＭＣＳ値が大きいチャネルをＤＬ送信に使用する、と選択しても良い。この選択方法により、基地局１００は、ＤＬ区間におけるＤＬ信号の送信回数（送信時間）を抑制しながら、ＤＬ信号のレートマッチングを容易に行うことができる。なお、ＵＬ／ＤＬ選択部１０８は、ＵＬ信号の伝送効率を改善させるために、最もＭＣＳ値が大きいチャネルをＵＬ受信に使用する、と選択しても良い。
【０１０７】
あるいは、利用可能なチャネルに対して異なる送信ストリーム数が設定される場合、例えば、利用可能なチャネルに対して空間多重などの多重方法が適用され、その多重数が異なる場合、ＵＬ／ＤＬ選択部１０８は、送信ストリーム数に基づいて、チャネル選択部１０７によって選択されたチャネルそれぞれについて、ＤＬ区間におけるＵＬ受信に使用するか、または、ＤＬ区間におけるＤＬ送信に使用するか、を選択しても良い。
【０１０８】
例えば、ＵＬ／ＤＬ選択部１０８は、チャネル選択部１０７によって選択されたチャネルの中で、最も送信ストリーム数が大きいチャネルをＤＬ送信に使用する、と選択する。この選択方法により、基地局１００は、ＤＬ区間におけるＤＬ信号の送信回数（送信時間）を抑制しながら、ＤＬ信号の伝送効率を向上させることができる。なお、ＵＬ／ＤＬ選択部１０８は、ＵＬ信号の伝送効率を改善させるために、最も送信ストリーム数が大きいチャネルをＵＬ受信に使用する、と選択しても良い。
【０１０９】
あるいは、各チャネルから交互にＤＬ送信を行ってもよい。また、通常は、特定のチャネルからＤＬ送信を行い、通常ＤＬ送信を行っている特定のチャネルにおいて干渉測定を行いたい場合のみ、特定のチャネル以外の少なくとも１つのチャネルからＤＬ送信を行ってもよい。ＵＬのみ送信しているチャネル（図５におけるチャネルｆ２２）では、フレーム境界（図５におけるフレーム＃ｎとフレーム＃ｎ＋１の境界）のみガードタイムを挿入すればよく、ＤＬ送信直前（例えば、図５のフレーム＃ｎ内におけるチャネルｆ１１のＵＬ信号とＤＬ信号の間）のガードタイムは不要であるため、フレーム境界に挿入するガードタイムをその分長く設定することが可能となる。このため、干渉検出に使用可能となるガードタイムを長く設定することが可能となり、干渉検出の精度を改善することが可能となる。
【０１１０】
なお、図５では、基地局１００によって選択されたチャネルｆ１１とチャネルｆ２２が、それぞれ、異なる周波数帯であるＢａｎｄ１とＢａｎｄ２に含まれる場合、ＤＬ区間において、基地局１００がチャネルｆ１１を使用してＤＬ信号を送信し、端末２００がチャネルｆ２２を使用してＵＬ信号を送信する例を示したが、本開示はこれに限定されない。
【０１１１】
例えば、ＤＬ信号に特定の情報が含まれる場合、基地局１００は、チャネルｆ１１とチャネルｆ２２を使用してＤＬ信号を送信しても良い。以下、実施の形態の変形例１として、この例について説明する。
【０１１２】
（実施の形態の変形例１）
図１１は、本実施の形態の変形例１に係る送受信信号の一例を示す図である。
【０１１３】
図１１の横軸は、時間軸を示し、縦軸は、周波数軸を示す。図１１には、図５、図６と同様に、チャネルｆ１１とチャネルｆ１２を含むＢａｎｄ１と、チャネルｆ２１とチャネルｆ２２を含むＢａｎｄ２の２つの周波数帯が示される。また、図１１には、ｎ番目（ｎは１以上の整数）のフレーム（フレーム＃ｎ）とｎ＋１番目のフレーム（フレーム＃ｎ＋１）の２つのフレームが示される。
【０１１４】
図１１のフレーム＃ｎのＤＬ区間では、図５のフレーム＃ｎのＤＬ区間と同様に、基地局１００がチャネルｆ１１を使用してＤＬ信号を送信し、端末２００がチャネルｆ２２を使用してＵＬ信号を送信する。一方で、図１１のフレーム＃ｎ＋１のＤＬ区間では、図５のフレーム＃ｎ＋１のＤＬ区間と異なり、基地局１００がチャネルｆ１１とチャネルｆ２２を使用してＤＬ信号を送信する。フレーム＃ｎ＋１のＤＬ区間において送信されるＤＬ信号には、特定の情報（特定情報）が含まれる。
【０１１５】
特定情報とは、基地局１００から端末２００へ通知する情報の中で、比較的良好な伝送品質が要求される情報であり、例えば、ＵＬ信号およびＤＬ信号の送受信に使用するチャネルの変更を示す情報である。また、干渉検出時においては、通信に使用する周波数ＩＤや周波数変更を示す情報等のように周波数に関する情報を基地局１００から端末２００に通知する必要があるが、この通信に使用する周波数ＩＤや周波数変更を示す情報等の周波数に関する情報を、特定情報としてもよい。
【０１１６】
チャネルｆ１１とチャネルｆ２２を使用したＤＬ信号の送信は、例えば、２フレームに１回、３フレームに１回のように、周期的に実行されても良い。この場合、チャネルｆ１１とチャネルｆ２２を使用したＤＬ信号の送信の周期は、基地局１００と端末２００の間で予め既知である。
【０１１７】
あるいは、基地局１００が、次のフレーム（図１１では、フレーム＃ｎ＋１）のＤＬ区間においてチャネルｆ１１とチャネルｆ２２を使用してＤＬ信号を送信することを示すチャネル情報を、例えば、その前のフレーム（図１１では、フレーム＃ｎ）のＤＬ区間においてチャネルｆ１１を使用して送信するＤＬ信号を用いて、端末２００へ通知しても良い。
【０１１８】
次に、図１１の例において、端末２００へ通知されるチャネル情報が図７のチャネル情報のフォーマットを有する場合について説明する。
【０１１９】
例えば、図７のチャネル情報におけるチャネル＃１およびチャネル＃２は、それぞれ、図１１のチャネルｆ１１およびチャネルｆ２２に対応する。また、図１１では、フレーム＃ｎとフレーム＃ｎ＋１との間で、使用するチャネルは変更されない。この場合、フレーム＃ｎのＤＬ区間にて基地局１００から送信されるＤＬ信号のチャネル情報に含まれるチャネル＃１のチャネルＩＤおよびチャネル＃２のチャネルＩＤは、それぞれ、チャネルｆ１１のＩＤおよびチャネルｆ２２のＩＤとなる。また、チャネル＃１の識別情報およびチャネル＃２の識別情報は、それぞれ、「０」に設定される。
【０１２０】
また、チャネル＃１のＤＬ／ＵＬ識別情報は、フレーム＃ｎ＋１のＤＬ区間においてチャネルｆ１１を使用してＤＬ信号の送受信が実行されるため、「０」に設定される。また、チャネル＃２のＤＬ／ＵＬ識別情報は、フレーム＃ｎ＋１のＤＬ区間においてチャネルｆ２２を使用してＤＬ信号の送受信が実行されるため、「０」に設定される。
【０１２１】
端末２００は、フレーム＃ｎのＤＬ区間において、それぞれ「０」に設定されたチャネル＃１のＤＬ／ＵＬ識別情報およびチャネル＃２のＤＬ／ＵＬ識別情報を含むＤＬ信号を受信した場合、チャネル＃１とチャネル＃２が異なる周波数帯に含まれる場合であっても、フレーム＃ｎ＋１のＤＬ区間において、両方のチャネルを使用してＤＬ信号を受信する。
【０１２２】
次に、図１１の例において、端末２００へ通知されるチャネル情報が図８のチャネル情報のフォーマットを有する場合について説明する。
【０１２３】
例えば、図８のチャネル情報におけるチャネル＃１およびチャネル＃２は、それぞれ、図１１のチャネルｆ１１およびチャネルｆ２２に対応する。また、図１１では、フレーム＃ｎとフレーム＃ｎ＋１との間で、使用するチャネルは変更されない。この場合、フレーム＃ｎのＤＬ区間にて基地局１００から送信されるＤＬ信号に含まれるチャネル＃１のチャネルＩＤおよびチャネル＃２のチャネルＩＤは、それぞれ、チャネルｆ１１のＩＤおよびチャネルｆ２２のＩＤとなる。
【０１２４】
ＤＬ送信バンド情報は、上述した本実施の形態と同様に、基地局１００がＤＬ信号を送信する周波数帯を示す情報である。上述した本実施の形態では、Ｂａｎｄ１およびＢａｎｄ２の２つの周波数帯が利用可能である場合、いずれか一方の周波数帯に含まれるチャネルを使用してＤＬ信号を送信するため、ＤＬ送信バンド情報は、１ビットで表される。本実施の形態の変形例１では、いずれか一方の周波数帯に含まれるチャネルを使用してＤＬ信号を送信する場合および両方の周波数帯それぞれに含まれるチャネルを使用してＤＬ信号を送信する場合が存在するため、ＤＬ送信バンド情報は、２ビットで表される。
【０１２５】
例えば、基地局１００がＢａｎｄ１に含まれるチャネルを使用してＤＬ信号を送信する場合、ＤＬ送信バンド情報は「００」に設定され、基地局１００がＢａｎｄ２に含まれるチャネルを使用してＤＬ信号を送信する場合、ＤＬ送信バンド情報は「０１」に設定され、基地局１００がＢａｎｄ１に含まれるチャネルおよびＢａｎｄ２に含まれるチャネルを使用してＤＬ信号を送信する場合、ＤＬ送信バンド情報は「１１」に設定される。
【０１２６】
端末２００は、フレーム＃ｎのＤＬ区間において、「１１」に設定されたＤＬ送信バンド情報を含むＤＬ信号を受信した場合、チャネル＃１とチャネル＃２が異なる周波数帯に含まれる場合であっても、フレーム＃ｎ＋１のＤＬ区間において、両方のチャネルを使用してＤＬ信号を受信する。
【０１２７】
以上、本実施の形態の変形例１によれば、基地局１００は、端末２００に対して特定の情報を送信する場合に、基地局１００が選択した複数のチャネルが異なる周波数帯に含まれる場合であっても、異なる周波数帯に含まれる複数のチャネルを使用して特定の情報を含むＤＬ信号を端末２００に対して送信する。この構成により、特定の情報を含むＤＬ信号の伝送品質を向上させることができる。
【０１２８】
なお、上述した本実施の形態の変形例１では、基地局１００が端末２００に対して特定の情報を含むＤＬ信号を送信する場合を例に挙げたが、本開示はこれに限定されない。例えば、ＤＬ信号の伝送品質が劣悪な場合、基地局１００は、異なる周波数帯に含まれる複数のチャネルを使用してＤＬ信号を端末２００に対して送信しても良い。なお、ＤＬ信号の伝送品質が劣悪な場合とは、例えば、ＤＬ信号の伝送品質（例えば、ＲＳＳＩ）が閾値以下の場合、あるいは、基地局１００が、ＤＬ信号を受信できないことを示す応答（例えば、ＮＡＣＫ）を端末２００から複数回連続して受信した場合である。
【０１２９】
また、上述した実施の形態および変形例１では、一例として、基地局１００と端末２００とを有する無線通信システムにおいて、２つの周波数帯が利用可能であり、各周波数帯が２つのチャネルを含む場合に、基地局１００が２つのチャネルを選択する例について説明した。以下、本実施の形態の変形例２では、基地局１００と端末２００とを有する無線通信システムにおいて、２つの周波数帯が利用可能であり、各周波数帯が２つのチャネルを含む場合に、基地局１００が３つのチャネルを選択する例について説明する。
【０１３０】
（本実施の形態の変形例２）
基地局１００のチャネル選択部１０７が３つのチャネルを選択した場合、基地局１００のＤＬ／ＵＬ選択部１０８は、２つの周波数帯のうち、選択したチャネルの数が少ない方の周波数帯のチャネルを使用してＤＬ信号を送信する、と選択する。
【０１３１】
図１２は、本実施の形態の変形例２に係る送受信信号の一例を示す図である。
【０１３２】
図１２の横軸は時間を示し、縦軸は周波数を示す。図１２には、チャネルｆ１１とチャネルｆ１２を含むＢａｎｄ１と、チャネルｆ２１とチャネルｆ２２を含むＢａｎｄ２の２つの周波数帯が示される。また、図１２には、ｎ番目（ｎは１以上の整数）のフレーム（フレーム＃ｎ）とｎ＋１番目のフレーム（フレーム＃ｎ＋１）の２つのフレームが示される。
【０１３３】
図１２は、基地局１００が、Ｂａｎｄ１に含まれるチャネルｆ１１およびチャネルｆ１２と、Ｂａｎｄ２に含まれるチャネルｆ２２とを選択した場合の送受信信号の例である。基地局１００によって選択されたチャネルが異なる周波数帯に含まれ、かつ、基地局１００によって選択された２つ以上のチャネルが１つの周波数帯に含まれる場合、ＤＬ区間において、基地局１００は、各周波数帯に含まれる、基地局１００によって選択されたチャネルの数が少ない周波数帯のチャネルを使用してＤＬ信号を送信する。
【０１３４】
図１２の例では、Ｂａｎｄ１に含まれるチャネルの数が２であり、Ｂａｎｄ２に含まれるチャネルの数が１であるため、ＤＬ区間において、基地局１００は、Ｂａｎｄ２に含まれるチャネルｆ２２を使用してＤＬ信号を送信し、端末２００は、Ｂａｎｄ１に含まれるチャネルｆ１１およびチャネルｆ１２を使用してＵＬ信号を送信する。そして、基地局１００は、チャネルｆ１１およびチャネルｆ１２を使用して端末２００によって送信されたＵＬ信号を受信し、端末２００は、チャネルｆ２２を使用して基地局１００によって送信されたＤＬ信号を受信する。
【０１３５】
以上、本実施の形態の変形例２によれば、基地局１００は、選択した複数のチャネルが異なる周波数帯に含まれ、かつ、２つ以上のチャネルが１つの周波数帯に含まれる場合、ＤＬ区間において、各周波数帯に含まれるチャネルの数が少ない周波数帯のチャネルを使用してＤＬ信号を送信する。この構成により、ＤＬ区間において、同時に複数のチャネルを使用してＤＬ信号の送信とＵＬ信号の受信を行うことができ、ＤＬ信号の送信回数（送信時間）を抑制できるため、ＵＬ信号の伝送効率をさらに向上させ、ＵＬ信号の伝送品質の劣化を抑制することができる。
【０１３６】
なお、図１２では、各周波数帯に含まれるチャネルの数が少ない周波数帯のチャネルを使用してＤＬ信号を送信する例を示したが、本開示はこれに限定されない。
【０１３７】
例えば、各周波数帯に含まれるチャネルの数が多い周波数帯のチャネルを使用してＤＬ信号を送信しても良い。以下、本実施の形態の変形例３として、この例について説明する。
【０１３８】
（実施の形態の変形例３）
図１３は、本実施の形態の変形例３に係る送受信信号の一例を示す図である。
【０１３９】
図１３の横軸は時間を示し、縦軸は周波数を示す。図１３には、チャネルｆ１１とチャネルｆ１２を含むＢａｎｄ１と、チャネルｆ２１とチャネルｆ２２を含むＢａｎｄ２の２つの周波数帯が示される。また、図１３には、ｎ番目（ｎは１以上の整数）のフレーム（フレーム＃ｎ）とｎ＋１番目のフレーム（フレーム＃ｎ＋１）の２つのフレームが示される。
【０１４０】
図１３は、基地局１００が、Ｂａｎｄ１に含まれるチャネルｆ１１と、Ｂａｎｄ２に含まれるチャネルｆ２１およびチャネルｆ２２とを選択した場合の送受信信号の例である。基地局１００によって選択されたチャネルが異なる周波数帯に含まれ、かつ、基地局１００によって選択された２つ以上のチャネルが１つの周波数帯に含まれる場合、本実施の形態の変形例３では、ＤＬ区間において、基地局１００は、各周波数帯に含まれる、基地局１００によって選択されたチャネルの数が多い周波数帯のチャネルを使用してＤＬ信号を送信する。
【０１４１】
図１３の例では、Ｂａｎｄ１に含まれるチャネルの数が１であり、Ｂａｎｄ２に含まれるチャネルの数が２であるため、ＤＬ区間において、基地局１００は、Ｂａｎｄ２に含まれるチャネルｆ２１およびｆ２２を使用してＤＬ信号を送信し、端末２００は、Ｂａｎｄ１に含まれるチャネルｆ１１を使用してＵＬ信号を送信する。そして、基地局１００は、チャネルｆ１１を使用して端末２００によって送信されたＵＬ信号を受信し、端末２００は、チャネルｆ２１およびチャネルｆ２２を使用して基地局１００によって送信されたＤＬ信号を受信する。
【０１４２】
以上、本実施の形態の変形例３によれば、基地局１００は、選択した複数のチャネルが異なる周波数帯に含まれ、かつ、２つ以上のチャネルが１つの周波数帯に含まれる場合、ＤＬ区間において、各周波数帯に含まれるチャネルの数が多い周波数帯のチャネルを使用してＤＬ信号を送信する。この構成により、ＤＬ区間において、同時に複数のチャネルを使用してＤＬ信号の送信とＵＬ信号の受信を行うことができ、ＤＬ信号の送信回数（送信時間）を増加できるため、ＵＬ信号の伝送効率を向上させながら、ＵＬ信号だけではなく、ＤＬ信号の伝送品質の劣化を抑制することができる。
【０１４３】
なお、上述した実施の形態および各変形例では、基地局１００と端末２００とを有する無線通信システムにおいて、２つの周波数帯が利用可能であり、各周波数帯が２つのチャネルを含む場合について説明した。以下、本実施の形態の変形例４では、基地局１００と端末２００とを有する無線通信システムにおいて、２つの周波数帯が利用可能であり、１つの周波数帯が３つ以上のチャネルを含む場合について説明する。
【０１４４】
（実施の形態の変形例４）
図１４は、本実施の形態の変形例４に係る送受信信号の一例を示す図である。
【０１４５】
図１４の横軸は時間を示し、縦軸は周波数を示す。図１４には、チャネルｆ１１とチャネルｆ１２を含むＢａｎｄ１と、チャネルｆ２１とチャネルｆ２２とチャネルｆ２３を含むＢａｎｄ２の２つの周波数帯が示される。また、図１４には、ｎ番目（ｎは１以上の整数）のフレーム（フレーム＃ｎ）とｎ＋１番目のフレーム（フレーム＃ｎ＋１）の２つのフレームが示される。
【０１４６】
図１４は、基地局１００が、Ｂａｎｄ１に含まれるチャネルｆ１１とチャネルｆ１２、および、Ｂａｎｄ２に含まれるチャネルｆ２１とチャネルｆ２２とチャネルｆ２３を選択した場合の送受信信号の例である。図１４に示すように、基地局１００によって選択されたチャネルが異なる周波数帯に含まれている。そして、基地局１００によって選択された３つ以上のチャネル（図１４では、チャネルｆ２１とチャネルｆ２２とチャネルｆ２３）を含む周波数帯（図１４では、Ｂａｎｄ２）が存在する。
【０１４７】
この場合、基地局１００は、ＤＬ区間において、３つ以上のチャネルを含む周波数帯の中の少なくとも１つのチャネルを使用してＤＬ信号を送信し、ＤＬ信号を送信するチャネルと隣り合うチャネルを使用してヌル信号を送信する。具体的には、図１４に示すように、ＤＬ区間において、基地局１００は、チャネルｆ２３を使用してＤＬ信号を送信し、チャネルｆ２３と隣り合うチャネルｆ２２を使用してヌル信号を送信する（つまり、ＤＬ区間において、チャネルｆ２２を無送信とする）。また、ＤＬ区間において、端末２００は、チャネルｆ１１およびチャネルｆ１２を使用して、ＵＬ信号を送信し、ＤＬ信号を送信するチャネルｆ２３と隣り合わないチャネルｆ２１を使用してＵＬ信号を送信する。
【０１４８】
なお、基地局１００によって選択された３つ以上のチャネル（図１４では、チャネルｆ２１とチャネルｆ２２とチャネルｆ２３）を含む周波数帯（図１４では、Ｂａｎｄ２）が存在する場合、基地局１００は、ＤＬ区間において、当該周波数帯の中で最も低いキャリア周波数のチャネルまたは最も高いキャリア周波数のチャネルを使用してＤＬ信号を送信するのが好ましい。最も低いキャリア周波数のチャネルまたは最も高いキャリア周波数のチャネルであれば、隣り合うチャネルが１つに限られるため、ヌル信号を送信するチャネル（つまり、ＤＬ信号もＵＬ信号も送信されないチャネル）の数を１つに限定できる。
【０１４９】
図１４の例では、基地局１００は、チャネルｆ２２を使用してヌル信号を送信する。このような場合、基地局１００は、端末２００に対して、ヌル信号を送信するチャネルの情報を含むチャネル情報を送信する。なお、ヌル信号を送信するチャネルの情報は、明示的に端末２００に対して通知されても良いし、暗示的に端末に対して通知されても良い。
【０１５０】
＜実施の形態の変形例４におけるチャネル情報の具体例＞
図１５は、ＤＬ信号に含まれるチャネル情報のフォーマットの第３の例を示す図である。なお、図１５のチャネル情報は、基地局１００がｋ個（ｋは、３以上の整数）のチャネルを選択する場合の情報である。
【０１５１】
図１５のチャネル情報は、チャネル＃１の情報〜チャネル＃ｋの情報を含む。各チャネルの情報は、それぞれ、識別情報とチャネルＩＤとＤＬ／ＵＬ識別情報とを含む。なお、識別情報とチャネルＩＤについては、図７と同様であり、実施の形態において説明したので、詳細な説明は省略する。
【０１５２】
図１５のチャネル情報では、ＤＬ／ＵＬ識別情報の設定方法が、実施の形態において説明した方法と異なる。
【０１５３】
具体的には、図１５のチャネル情報におけるＤＬ／ＵＬ識別情報は、ＤＬ区間において、各チャネルを使用してＤＬ信号の送受信を実行するか、ＵＬ信号の送受信を実行するか、または、ヌル信号の送受信を実行するか（つまり、無送信区間とするか）を識別する２ビットの情報である。
【０１５４】
例えば、ＤＬ区間において、チャネル＃１を使用してＤＬ信号の送受信が実行される場合、チャネル＃１の情報に含まれるＤＬ／ＵＬ識別情報は、「００」に設定される。また、ＤＬ区間において、チャネル＃１を使用してＵＬ信号の送受信が実行される場合、チャネル＃１の情報に含まれるＤＬ／ＵＬ識別情報は、「０１」に設定される。また、ＤＬ区間において、チャネル＃１を使用してヌル信号の送受信が実行される場合（つまり、無送信区間とする場合）、チャネル＃１の情報に含まれるＤＬ／ＵＬ識別情報は、「１０」に設定される。
【０１５５】
図１５のフォーマットでは、ヌル信号を送信するチャネルの情報が明示的に端末２００に対して通知される。
【０１５６】
図１６は、ＤＬ信号に含まれるチャネル情報のフォーマットの第４の例を示す図である。なお、図１６のチャネル情報は、図１５と同様に、基地局１００がｋ個（ｋは、３以上の整数）のチャネルを選択する場合の情報である。
【０１５７】
図１６のチャネル情報は、チャネル＃１の情報〜チャネル＃ｋの情報、および、ＤＬ送信チャネル情報を含む。各チャネルの情報は、それぞれ、識別情報とチャネルＩＤとを含む。なお、識別情報とチャネルＩＤについては、図７と同様であり、実施の形態において説明したので、詳細な説明は省略する。
【０１５８】
図１５のチャネル情報では、ＤＬ／ＵＬ識別情報が複数のチャネル（チャネル＃１〜チャネル＃ｋ）の情報それぞれに含まれていたのに対し、図１６のチャネル情報は、ＤＬ／ＵＬ識別情報の代わりにＤＬ送信チャネル情報が含まれる。
【０１５９】
ＤＬ送信チャネル情報は、基地局１００がＤＬ信号を送信するチャネルを示す情報である。例えば、図１４のように、基地局１００が５つのチャネルを選択する場合（つまり、ｋ＝５の場合）、ＤＬ送信チャネル情報は、３ビットで表される。そして、基地局１００は、ＤＬ信号を送信するチャネルに基づいて、ＤＬ送信チャネル情報を設定する。例えば、図１４におけるチャネルｆ１１、チャネルｆ１２、チャネルｆ２１、チャネルｆ２２およびチャネルｆ２３が、それぞれ、「０００」、「００１」、「０１０」、「０１１」および「１００」という３ビットの情報に対応付けられているとする。そして、基地局１００は、チャネルｆ１１、チャネルｆ１２、チャネルｆ２１、チャネルｆ２２およびチャネルｆ２３を選択し、チャネルｆ２３を使用してＤＬ信号を送信する。この場合、基地局１００は、ＤＬ送信チャネル情報を「１００」に設定する。
【０１６０】
図１６を用いて説明した方法では、基地局１００がＤＬ信号を送信するチャネルと隣り合うチャネルを使用してヌル信号を送信することは、基地局１００と端末２００との間で既知である。そして、ヌル信号を送信するチャネルの情報が暗示的に端末２００に対して通知される。
【０１６１】
そのため、端末２００は、チャネル情報を取得した場合に、基地局１００によって選択されたチャネルおよび基地局１００によってＤＬ信号が送信されるチャネルを判定する。そして、端末２００は、基地局１００によって選択されたチャネルの中で、基地局１００によってＤＬ信号が送信されるチャネル、および、ＤＬ信号が送信されるチャネルと隣りあうチャネルを除くチャネルを使用してＵＬ信号を送信する。
【０１６２】
図１７は、ＤＬ信号に含まれるチャネル情報のフォーマットの第５の例を示す図である。なお、図１７のチャネル情報は、図１５と同様に、基地局１００がｋ個（ｋは、３以上の整数）のチャネルを選択する場合の情報である。
【０１６３】
図１７のチャネル情報は、チャネル＃１の情報〜チャネル＃ｋの情報、ＤＬ送信バンド情報およびＤＬ送信チャネル情報を含む。各チャネルの情報は、それぞれ、識別情報とチャネルＩＤとを含む。なお、識別情報とチャネルＩＤについては、図７と同様であり、実施の形態において説明したので、詳細な説明は省略する。
【０１６４】
ＤＬ送信バンド情報は、基地局１００がＤＬ信号を送信する周波数帯を示す情報である。例えば、図１４のように、Ｂａｎｄ１およびＢａｎｄ２の２つの周波数帯が利用可能である場合、ＤＬ送信バンド情報は、１ビットで表される。そして、基地局１００がＢａｎｄ１に含まれるチャネルを使用してＤＬ信号を送信する場合、ＤＬ送信バンド情報は「０」に設定され、基地局１００がＢａｎｄ２に含まれるチャネルを使用してＤＬ信号を送信する場合、ＤＬ送信バンド情報は「１」に設定される。なお、３つ以上の周波数帯が利用可能である場合、ＤＬ送信バンド情報は、２ビット以上であっても良い。
【０１６５】
ＤＬ送信チャネル情報は、ＤＬ送信バンド情報によって示される周波数帯の中で、基地局１００がＤＬ信号を送信するチャネルの位置を示す情報である。
【０１６６】
例えば、基地局１００がＤＬ信号を送信するチャネルが、ＤＬ送信バンド情報によって示される周波数帯の中で、最も高いキャリア周波数のチャネル、または、最も低いキャリア周波数のチャネルに限定した場合、ＤＬ送信チャネル情報は１ビットで表される。そして、基地局１００がＤＬ信号を送信するチャネルが最も高いキャリア周波数のチャネルである場合、ＤＬ送信チャネル情報は「１」に設定され、基地局１００がＤＬ信号を送信するチャネルが最も低いキャリア周波数のチャネルである場合、ＤＬ送信チャネル情報は「０」に設定される。
【０１６７】
なお、図１７を用いて説明した方法では、基地局１００がＤＬ信号を送信するチャネルと隣り合うチャネルを使用してヌル信号を送信することは、基地局１００と端末２００との間で既知である。そして、ヌル信号を送信するチャネルの情報が暗示的に端末２００に対して通知される。
【０１６８】
また、図１７のチャネル情報は、図１５および図１６のチャネル情報と比較して、サイズ（ビット数）を削減できる。
【０１６９】
以上、本実施の形態の変形例４によれば、基地局１００は、選択した複数のチャネルが異なる周波数帯に含まれ、かつ、３つ以上のチャネルが１つの周波数帯に含まれる場合、ＤＬ区間において、３つ以上のチャネルを含む周波数帯のいずれか１つのチャネルを使用してＤＬ信号を送信し、ＤＬ信号を送信するチャネルと隣り合うチャネルを使用してヌル信号を送信する。その結果、端末２００は、ＤＬ区間において、基地局１００がＤＬ信号を送信するチャネルと隣り合わないチャネルを使用してＵＬ信号を送信することができるため、ＵＬ信号の伝送効率を向上させ、伝送品質の劣化を抑制することができる。
【０１７０】
なお、本実施の形態の変形例４では、基地局１００によって選択された複数のチャネルが異なる周波数帯に含まれ、かつ、３つ以上のチャネルが１つの周波数帯に含まれる場合、ＤＬ区間において、ＤＬ信号を送信するチャネルと隣り合うチャネルを使用してヌル信号を送信する例について説明した。以下、本実施の形態の変形例５では、基地局１００によって選択された複数のチャネルが１つの周波数帯に含まれる場合に、ＤＬ信号を送信するチャネルと隣り合うチャネルを使用してヌル信号を送信する例について説明する。
【０１７１】
（実施の形態の変形例５）
図１８は、本実施の形態の変形例５に係る送受信信号の一例を示す図である。
【０１７２】
図１８の横軸は時間を示し、縦軸は周波数を示す。図１８には、チャネルｆ１１とチャネルｆ１２を含むＢａｎｄ１と、チャネルｆ２１とチャネルｆ２２とチャネルｆ２３を含むＢａｎｄ２の２つの周波数帯が示される。また、図１８には、ｎ番目（ｎは１以上の整数）のフレーム（フレーム＃ｎ）とｎ＋１番目のフレーム（フレーム＃ｎ＋１）の２つのフレームが示される。
【０１７３】
図１８は、基地局１００が、および、Ｂａｎｄ２に含まれるチャネルｆ２１とチャネルｆ２２とチャネルｆ２３を選択した場合の送受信信号の例である。
【０１７４】
この場合、基地局１００は、ＤＬ区間において、３つ以上のチャネルを含む周波数帯の中の少なくとも１つのチャネルを使用してＤＬ信号を送信し、ＤＬ信号を送信するチャネルと隣り合うチャネルを使用してヌル信号を送信する。具体的には、図１８に示すように、ＤＬ区間において、基地局１００は、チャネルｆ２３を使用してＤＬ信号を送信し、チャネルｆ２３と隣り合うチャネルｆ２２を使用してヌル信号を送信する（つまり、ＤＬ区間において、チャネルｆ２２を無送信とする）。また、ＤＬ区間において、端末２００は、ＤＬ信号を送信するチャネルｆ２３と隣り合わないチャネルｆ２１を使用してＵＬ信号を送信する。
【０１７５】
以上、本実施の形態の変形例５によれば、基地局１００は、選択した３つ以上のチャネルが１つの周波数帯に含まれる場合であっても、ＤＬ区間において、３つ以上のチャネルを含む周波数帯のいずれか１つのチャネルを使用してＤＬ信号を送信し、ＤＬ信号を送信するチャネルと隣り合うチャネルを使用してヌル信号を送信する。その結果、端末２００は、ＤＬ区間において、基地局１００がＤＬ信号を送信するチャネルと隣り合わないチャネルを使用してＵＬ信号を送信することができるため、ＵＬ信号の伝送効率を向上させ、伝送品質の劣化を抑制することができる。
【０１７６】
なお、上記で説明した実施の形態および各変形例は、適宜組み合わせても良いし、適宜切替えてもよい。
【０１７７】
また、上記で説明した実施の形態および各変形例では、ＤＬ信号の中にチャネル情報が含まれる例について説明したが、本開示はこれに限定されない。例えば、ＤＬ信号に付加されるプリアンブル（ＤＬプリアンブル）を複数のパターン用意し、各ＤＬプリアンブルのパターンとチャネル情報との対応関係を基地局と端末との間で既知とすることにより、ＤＬプリアンブルを使用してチャネル情報を端末に送信しても良い。ＤＬプリアンブルのパターンの変更方法としては、例えば、ＯＦＤＭ信号におけるサブキャリアの配置を変更する方法、ＤＬプリアンブルを周期信号とし、その周期信号の一部区間の極性を変更する方法などが挙げられる。
【０１７８】
また、上記で説明した各実施の形態および各変形例では、基地局１００のチャネル選択部１０７が、干渉測定の結果に基づいて通信に使用するチャネルを選択し、ＵＬ／ＤＬ選択部１０８がＵＬ受信またはＤＬ送信を選択する例について説明したが、本開示はこれに限定されない。例えば、基地局１００と端末２００とは、予め設定されたチャネルを使用して通信を行い、予め設定されたチャネルから他のチャネルへの変更を行わなくても良い。この場合、基地局１００のＵＬ／ＤＬ選択部１０８は、予め設定されたチャネルについて、ＤＬ区間におけるＵＬ受信に使用するか、または、ＤＬ区間におけるＤＬ送信に使用するか、を選択しても良い。予め設定されたチャネルについて、ＵＬ受信とＤＬ送信が予め設定されていても良い。
【０１７９】
例えば、通信に使用するチャネル、および、当該チャネルがＤＬ区間においてＵＬ受信とＤＬ送信のどちらに使用されるか、という設定が、基地局１００と端末２００との間で既知の場合、基地局１００は、端末２００に対してチャネル情報を送信しなくても良い。
【０１８０】
また、上記で説明した各実施の形態および各変形例における、利用可能な周波数帯および各周波数帯に含まれるチャネルの数は、一例であり、本開示はこれに限定されない。例えば、利用可能な周波数帯は３つ以上であっても良いし、各周波数帯に含まれるチャネルの数は３つ以上であっても良いし、１つであっても良い。各周波数帯に含まれるチャネルの数は、互いに異なっていても良い。
【０１８１】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１８２】
上記各実施の形態では、本開示はハードウェアを用いて構成する例にとって説明したが、本開示はハードウェアとの連携においてソフトウェアでも実現することも可能である。
【０１８３】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１８４】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０１８５】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０１８６】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【０１８７】
また、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【０１８８】
本開示は、ＦＰＵ等の端末、基地局に用いるに好適である。
【符号の説明】
【０１８９】
１００  基地局
１０１、２０１  送受切替部
１０２−１〜１０２−Ｍ、２０２−１〜２０２−Ｎ  無線受信部
１０３、２０３  ベースバンド受信処理部
１０４、２０４  ＡＧＣ／同期検出部
１０５、２０５  受信処理制御部
１０６  干渉測定部
１０７  チャネル選択部
１０８  ＵＬ／ＤＬ選択部
１０９  チャネル情報生成部
１１０、２０７  ベースバンド送信処理部
１１１、２０８  プリアンブル生成部
１１２、２０９  付加部
１１３−１〜１１３−Ｎ、２１０−１〜２１０−Ｍ  無線送信部
１１４、２１１  受信部
１１５、２１２  送信部
２００  端末
２０６  チャネル情報抽出部
【図１】
2018207402.tif 000003
【図２】
2018207402.tif 000004
【図３】
2018207402.tif 000005
【図４】
2018207402.tif 000006
【図５】
2018207402.tif 000007
【図６】
2018207402.tif 000008
【図７】
2018207402.tif 000009
【図８】
2018207402.tif 000010
【図９】
2018207402.tif 000011
【図１０】
2018207402.tif 000012
【図１１】
2018207402.tif 000013
【図１２】
2018207402.tif 000014
【図１３】
2018207402.tif 000015
【図１４】
2018207402.tif 000016
【図１５】
2018207402.tif 000017
【図１６】
2018207402.tif 000018
【図１７】
2018207402.tif 000019
【図１８】
2018207402.tif 000020